(57)【要約】【課題】タクシー運転手が、売上を精算するために帰社しなくてもよいようにする。【解決手段】車両１００の運用履歴が記録される記録媒体１１４と、車両１００の運用履歴を前記記録媒体１１４に記録する情報記録装置１１２と、金融機関４００のホストコンピュータ４０５と通信可能で、前記記録媒体１１４に記録された情報に基づいて金融機関４００のホストコンピュータ４０５に振込処理を実行させる振込処理端末３１０，４１０と、振込処理を実行する金融機関４００のホストコンピュータ４０５と、を有することを特徴とする車両運用システムを提供する。【選択図】      図１
2004240479.tif 000002
【特許請求の範囲】
【請求項１】
車両の運用履歴が記録される記録媒体と、
車両の運用履歴を前記記録媒体に記録する情報記録装置と、
金融機関のホストコンピュータと通信可能で、前記記録媒体に記録された情報に基づいて金融機関のホストコンピュータに振込処理を実行させる振込処理端末と、
振込処理を実行する金融機関のホストコンピュータと、
を有することを特徴とする車両運用システム。
【請求項２】
前記記録媒体は、振込先を特定するための情報が記録されることを特徴とする請求項１に記載の車両運用システム。
【請求項３】
前記車両の運用履歴は、車両の走行履歴と料金に関する情報とを含むことを特徴とする請求項１に記載の車両運用システム。
【請求項４】
前記車両の走行履歴は、ＧＰＳ衛星から取得した位置情報を含むことを特徴とする請求項３に記載の車両運用システム。
【請求項５】
前記料金に関する情報は、プリペイドカード販売による売上情報を含むことを特徴とする請求項３に記載の車両運用システム。
【請求項６】
前記料金に関する情報は、プリペイドカード利用による支払情報を含むことを特徴とする請求項３に記載の車両運用システム。
【請求項７】
振込先を特定するための情報と車両の運用履歴とが記録され、記録された情報に基づいて金融機関のホストコンピュータに振込処理を実行させることを特徴とする記録媒体。
【請求項８】
形態がＩＣカードであることを特徴とする請求項７に記載の記録媒体。
【請求項９】
金融機関のホストコンピュータによる振込処理が実行可能な形式で車両の運用履歴を記録媒体に記録することを特徴とする情報記録装置。
【請求項１０】
料金メータと接続されている、または、料金メータに組み込まれていることを特徴とする請求項９に記載の情報記録装置。
【請求項１１】
プリペイドカード利用による支払処理が実行できることを特徴とする請求項９または１０に記載の情報記録装置。
【請求項１２】
金融機関のホストコンピュータと通信可能で、振込先を特定するための情報と車両の運用履歴とが記録された記録媒体から情報を取得し、取得した情報に基づいて前記金融機関のホストコンピュータに振込処理を実行させることを特徴とする振込処理端末。
【請求項１３】
前記記録媒体から取得した情報に基づいて振込金額を決定することを特徴とする請求項１２に記載の振込処理端末。
【請求項１４】
前記記録媒体から車両の運用履歴を取得し、取得した車両の運用履歴の一部または全部を前記金融機関のホストコンピュータに出力することを特徴とする請求項１２または１３に記載の振込処理端末。
【請求項１５】
請求項１２に記載の振込処理端末による振込依頼に基づいて、振込処理を実行することを特徴とする金融機関のホストコンピュータ。
【請求項１６】
前記振込処理端末を介して前記記録媒体から情報を取得し、取得した情報に基づいて振込金額を決定することを特徴とする請求項１５に記載の金融機関のホストコンピュータ。
【請求項１７】
振込処理に関するリストを生成し、インターネットを介して車両を運用する機関のコンピュータに出力することを特徴とする請求項１５または１６に記載の金融機関のホストコンピュータ。
【請求項１８】
車両の運用履歴に基づいて営業実績に関するリストを生成し、インターネットを介して車両を運用する機関のコンピュータに出力することを特徴とする請求項１５〜１７のいずれか１項に記載の金融機関のホストコンピュータ。
【発明の詳細な説明】
【０００１】
【発明の属する技術分野】
この発明は、金融機関のシステムを利用して、タクシーやトラックなどの車両の運用管理をサポートするシステムに関する。
【０００２】
【従来の技術】
従来、タクシー運転手は、業務終了時に、所属するタクシー会社に帰社し、業務日報を作成して一日の走行履歴をタクシー会社に報告するとともに、一日の売上を精算する（すなわち、一日の売上を計測してその額をタクシー会社に納める）。このようにして、タクシー会社は、タクシーの運用管理を行っていた。
【０００３】
ところで、業務日報を作成する際のタクシー運転手の負担を軽減するために、例えば、ＩＣカードをタクシーに搭載させ、走行履歴をＩＣカードに記録する技術が存在する（例えば、特許文献１、２参照。）。
【０００４】
【特許文献１】
特公平６−７５２７１号公報（図１〜図４）
【特許文献２】
特開平５−１３５２４３号公報（段落０００８〜段落００１０、図１）
【０００５】
【発明が解決しようとする課題】
このような技術により、業務日報を作成する際のタクシー運転手の負担を軽減することが可能である。
【０００６】
しかしながら、それでも、タクシー運転手は、売上を精算する（すなわち、一日の売上を計測してその額をタクシー会社に納める）ためにタクシー会社に帰社しなければならない。そのため、売上を精算する際のタクシー運転手の負担は、軽減されておらず、大きいままであるという課題があった。
【０００７】
また、タクシー会社は、専任の経理担当者を配置して、現金を管理したり、各タクシー運転手の走行履歴をコンピュータに入力する必要がある。そのため、タクシー会社は、大きな経費がかかるという課題もあった。
【０００８】
この発明は、このような課題を解決するために、タクシー運転手が売上を精算するためにタクシー会社に帰社しなくてもよい車両運用システムを提供することを目的とする。
【０００９】
【課題を解決するための手段】
この発明に係る車両運用システムは、車両の運用履歴が記録される記録媒体と、車両の運用履歴を前記記録媒体に記録する情報記録装置と、金融機関のホストコンピュータと通信可能で、前記記録媒体に記録された情報に基づいて金融機関のホストコンピュータに振込処理を実行させる振込処理端末と、振込処理を実行する金融機関のホストコンピュータと、を有することを特徴とする。
【００１０】
この発明に係る車両運用システムでは、タクシーの走行に合わせて、車両の運用履歴（車両の走行履歴、料金に関する情報などを含む）がＩＣカードなどの記録媒体に記録される。タクシー運転手は、業務終了時に、記録媒体を金融機関のホストコンピュータと通信可能な振込処理端末（例えば金融機関の自動取引装置など）に挿入する。すると、振込処理端末は、記録媒体に記録された情報に基づいてホストコンピュータに振込処理を実行させる。このとき、ホストコンピュータは、タクシー運転手に一日の売上に相当する額を振込処理端末に投入させ、その額がタクシー会社の口座に振り込まれたものとして処理する。このようにして、タクシー運転手は、一日の売上を出先からタクシー会社の口座に振り込むことができる。そのため、タクシー運転手は、売上を精算するためにタクシー会社に帰社しなくてもよいようになる。
【００１１】
【発明の実施の形態】
この発明に係る車両運用システムは、車両の運用履歴が記録される記録媒体と、車両の運用履歴を記録媒体に記録する情報記録装置と、金融機関のホストコンピュータと通信可能で、記録媒体に記録された情報に基づいて金融機関のホストコンピュータに振込処理を実行させる振込処理端末と、振込処理を実行する金融機関のホストコンピュータと、を有することを特徴とする。なお、以下は、車両としてタクシーを例にするが、この発明は、これに限らず、トラックやバス、その他の車両にも適用可能である。また、以下は、金融機関として銀行を例にするが、この発明は、これに限らず、信用金庫や農業協同組合、郵便局などであってもよい。
【００１２】
以下に、図を参照してこの発明の実施の形態を説明する。なお、各図はこの発明を理解できる程度に概略的に示してあるにすぎない。また、各図において、共通する要素については、同一の符号を付し、説明を省略する。
【００１３】
＜第１の実施の形態＞
以下に、図１〜図６を用いて第１の実施の形態を説明する。なお、図１は車両運用システムの構成を示す図で、図２は振込先を特定するための情報の一例を示す図で、図３は車両の運用履歴の一例を示す図で、図４はＩＣカードリーダライタの動作を示すフローチャートで、図５は振込処理端末の動作を示すフローチャートで、図６はホストコンピュータの動作を示すフローチャートである。
【００１４】
（システムの構成）
図１に示されるように、タクシー１００は、料金メータ１１０と、情報記録装置としてのＩＣカードリーダライタ１１２とを搭載する。なお、図１に示される例では、料金メータ１１０とＩＣカードリーダライタ１１２は、互いに接続された別々の装置となっているが、一体化することも可能である。
【００１５】
料金メータ１１０は、例えば走行距離や走行時間、乗車料金などを計測し、これら（図１に示される例では走行距離と乗車料金）を表示パネルに表示するとともに、ＩＣカードリーダライタ１１２に出力する。ＩＣカードリーダライタ１１２は、記録媒体としてのＩＣカード１１４と通信可能に接続されており、走行距離や走行時間、乗車料金、その他の情報をＩＣカード１１４に記録する。なお、接続は、ＩＣカード１１４の形態に応じて、導電性部材の接触によって、または、無線によって行われる。
【００１６】
ＩＣカード１１４は、外部との通信や様々な演算を実行するための図示しない制御部や、様々な情報を記録するための図示しないメモリを搭載している。
【００１７】
ＩＣカード１１４は、業務開始前に、例えばタクシー会社５００のＰＣサーバ５０５などによって、運転手に関する情報や、振込先を特定するための情報（例えばタクシー会社の社名や、銀行に開設されたタクシー会社の口座番号など）などが記録される。なお、運転手に関する情報は、例えばタクシー運転手のコード（すなわち、タクシー会社５００がタクシー運転手に付した社員番号）や、タクシー運転手の氏名などである。また、振込先を特定するための情報は、システムの運用形態に応じて任意に設定される。例えば、図２に示される例では、「振込先」欄、「口座」欄、「アドレス」欄などが設けられている。「振込先」欄には、振込先であるタクシー会社の「社名」が記録される。「口座」欄には、例えば、「銀行名」や、「支店名」、「口座番号」などが記録される。また、「アドレス」欄には、例えば、「郵便番号」や、「住所」、「宛先」、「電話番号」、「ファクシミリ番号」、「電子メールアドレス」などが記録される。なお、「銀行名」や「支店名」は、銀行コードや支店コードにしてもよい。
【００１８】
また、ＩＣカード１１４は、業務遂行時に、ＩＣカードリーダライタ１１２によって、車両の運用履歴が記録される。車両の運用履歴は、システムの運用形態に応じて任意に設定される。図３に示される例では、「記録Ｎｏ．」欄や、「日時」欄、「走行履歴」欄、「料金」欄などが設けられている。
【００１９】
「記録Ｎｏ．」欄には、ＩＣカード１１４に記録された車両の運用履歴の順番が記録される。「記録Ｎｏ．」欄に記録される順番は、精算が行われる度に初期化されて１から始まる。「日時」欄には、車両の運用履歴がＩＣカード１１４に記録されたときの日付と時刻が記録される。「走行履歴」欄には、例えば、「車両番号」や、「乗車時間」、「降車時間」、「乗車位置」、「降車位置」、「走行時間」、「走行距離」、「割増」などが記録される。「料金」欄には、例えば、第２の実施の形態で詳述するプリペイドカードの販売額を表す「カード販売」や、「乗車料金」、「乗車料金」に対してプリペイドカードにより支払われた額の小計を表す「プリペイド支払小計」、「カード販売」または「乗車料金」などに対して現金で支払われた額の小計を表す「現金支払小計」、前回の精算後に発生した「プリペイド支払小計」の総額を表す「プリペイド支払総計」、前回の精算後に発生した「現金支払小計」の総額を表す「現金支払総計」、「プリペイド支払総計」と「現金支払総計」の総額を表す「総計」、売上の精算の有無を表す「精算」などが記録される。
【００２０】
なお、図３において、「乗車位置」欄や「降車位置」欄に記録された「Ａ○○，Ｘ○○，Ｙ○○」の「Ａ○○」はエリアを特定するためにエリア毎に付された地図番号で、「Ｘ○○」は地図番号「Ａ○○」内におけるＸ座標で、「Ｙ○○」は地図番号「Ａ○○」内におけるＹ座標である。また、「走行時間」欄に記録された値は、整数部が分を表し、少数部が十秒の単位を表している。また、「走行距離」欄の値は、走行したメートルを表す。また、「割増」欄に記録された「夜間」は夜間割増が適用されていることを表し、「日中」は通常料金が適用されていることを表している。「割増」欄には、「夜間」や「日中」以外に、例えば「貸し切り」などが記録される場合がある。また、「精算」欄には、売上の精算が未処理の場合に「未」が記録され、売上の精算が処理済の場合に「済」が記録される。また、「精算」欄には、タクシー会社５００で売上の精算が行われた場合も、「済」が記録される。
【００２１】
ＩＣカード１１４は、業務終了時に、流通業（例えばコンビニエンスストアやスーパーマーケットなど）の小売店３００に設置された流通業支援端末３１０、または、銀行４００に設置されたオートテラーマシーン（以後、ＡＴＭという）４１０に挿入されて、ホストコンピュータ４０５による振込処理の実行に供される。なお、ＩＣカード１１４に記録された情報は、このように、ホストコンピュータ４０５による振込処理の実行に供されたり、様々なリスト（例えば、後述の振込金額を集計した振込金額リストや、図３に示される「料金」欄の中に含まれる情報を集計した料金リスト、第３の実施の形態で詳述する営業実績リストなど）５０の作成に供される。そのため、ＰＣサーバ５０５やＩＣカードリーダライタ１１２は、ホストコンピュータ４０５が処理可能な形式で、振込人を特定するための情報や車両の運用履歴などをＩＣカード１１４に記録することが好ましい。
【００２２】
流通業支援端末３１０とＡＴＭ４１０は、銀行４００のホストコンピュータ４０５に振込処理を実行させるための振込処理端末であり、ＩＣカード１１４に対する情報のリード／ライト機能と、銀行４００のホストコンピュータ４０５と通信する機能とを備えている。なお、流通業支援端末３１０は、ＡＴＭ４１０と同様の形態、または、ＡＴＭ４１０と同様の形態に、チケットを発券する機能やインターネットによる販売機能、ポイントオブセールス（ＰＯＳ）機能、ローン申込機能などが任意に付加された形態となっている。
【００２３】
ホストコンピュータ４０５は、顧客の口座台帳を登録するデータベース４０６を備え、様々な処理を行う。例えば、ホストコンピュータ４０５は、振込処理を実行するとともに、様々なリスト（振込処理された金額を集計した振込金額リストや、前述の料金に関する情報の中に含まれる任意の情報を集計した料金リスト、第３の実施の形態で詳述する営業実績リストなど）５０を作成してインターネット６００などの通信網を介してタクシー会社５００のＰＣサーバ５０５に出力する。
【００２４】
ＰＣサーバ５０５は、リスト５０やその他の情報を登録するデータベース５０６を備え、様々な情報を管理する。
【００２５】
（システムの動作の概要）
以下に、図１における矢印▲１▼〜▲６▼に沿って車両運用システムの動作を詳述する。なお、矢印▲１▼〜▲６▼は、貨幣や情報などの流れを示している。
【００２６】
図１の矢印▲１▼は、業務遂行時において、乗車料金に相当する貨幣１０が、乗客２００からタクシー運転手に支払われたことを示している。
【００２７】
図１の矢印▲２▼は、乗車料金に相当する貨幣１０が乗客２００からタクシー運転手に支払われたときに、料金メータ１１０によって計測された走行距離や走行時間、乗車料金などの情報が、料金メータ１１０からＩＣカードリーダライタ１１２に出力され、ＩＣカード１１４に記録されることを示している。なお、ＩＣカードリーダライタ１１２の動作については、後述の（ＩＣカードリーダライタの動作）の項で詳述する。
【００２８】
図１の矢印▲３▼は、業務終了時において、適宜、貨幣１０やＩＣカード１１４が、流通業の小売店３００に設置された流通業支援端末３１０または銀行４００に設置されたＡＴＭ４１０に投入されることを示している。
【００２９】
このとき、タクシー運転手は、最寄りの流通業の小売店３００または銀行４００に出向き、以下のようにして流通業支援端末３１０またはＡＴＭ４１０（以下、振込処理端末３１０，４１０という）を操作する。
【００３０】
すなわち、まず、タクシー運転手は、振込処理端末３１０，４１０の図示しないタッチパネルの初期画面に表示された各種の取引を指定するキーの中から、振込処理を指定するキーを選択しこれを押下する。次に、ＩＣカード１１４を振込処理端末３１０，４１０の図示しないカード挿入／排出口に挿入する。
【００３１】
すると、ＩＣカード１１４に記録されている様々な情報が、振込処理端末３１０，４１０によって読み取られる。このとき読み取られる情報は、システムの運用形態に応じて任意に設定される。この実施の形態では、前述の運転手に関する情報や、図２に示される振込先を特定するための情報、図３に示される「精算」欄が「未」となっている車両の運用履歴とする。
【００３２】
振込処理端末３１０，４１０は、読み取った情報に基づいて振込人と振込先と振込金額とを決定する。この実施の形態では、運転手に関する情報に含まれるタクシー運転手の氏名（またはタクシー運転手のコード）を振込人とし、図２に示される「社名」欄と「口座番号」欄によって特定される口座を振込先とし、図３に示される「現金支払総額（ただし、「精算」欄が「未」となっている最終行のもの）」を振込金額とする。なお、振込金額の決定は、振込処理端末３１０，４１０ではなく、ホストコンピュータ４０５に行わせてもよい。すなわち、ホストコンピュータ４０５は、振込処理端末３１０，４１０を介して、ＩＣカード１１４から情報を取得し、取得した情報に基づいて振込金額を決定するようにしてもよい。
【００３３】
振込処理端末３１０，４１０は、このようにして決定した振込人や、振込先、振込金額などの情報を図示しないタッチパネルに表示してタクシー運転手に確認させる。タッチパネルに表示された情報が正しい場合に、タクシー運転手は、矢印▲３▼として示されるように、振込金額に相当する貨幣１０を振込処理端末３１０，４１０の図示しない貨幣投入口に投入することになる。なお、タッチパネルに表示された情報が正しいか否かの判断は、振込金額が現在所持している金額から業務開始時に所持していた金額を差し引いた金額と一致するか否かによって判断される。また、タッチパネルに表示された情報が間違っている場合に、タクシー運転手は、間違っている項目を修正して振込金額に相当する貨幣１０を振込処理端末３１０，４１０の貨幣投入口に投入するか、振込処理を中止してタクシー会社５００に帰社し、タクシー会社５００で売上を精算することになる。ここでは、タッチパネルに表示された情報が正しいものとする（すなわち、タクシー運転手は、振込金額に相当する貨幣１０を振込処理端末３１０，４１０の貨幣投入口に投入するものとする）。なお、振込処理端末３１０，４１０の動作については、後述の（振込処理端末の動作）の項で詳述する。
【００３４】
図１の矢印▲４▼は、振込処理端末３１０，４１０によってＩＣカード１１４から読み出された情報が、振込処理端末３１０，４１０から銀行４００のホストコンピュータ４０５に出力されることを示している。
【００３５】
例えば、タクシー運転手によって振込金額に相当する貨幣１０が投入されると、振込人や、振込先、振込金額などの情報が、振込処理端末３１０，４１０から銀行４００のホストコンピュータ４０５に出力される。これを受けて、ホストコンピュータ４０５は、振込処理を実行する。すなわち、データベース４０６に登録された図示しない口座台帳の振込先に該当する口座に対し、振込日時や、振込人、振込金額などの情報を記録するとともに、口座の残高が振込金額を加算した額となるように口座の残高を更新する。
【００３６】
また、振込人や、振込先、振込金額以外の情報（すなわち、これら以外の、運転手に関する情報や、振込先を特定するための情報、車両の運用履歴などの情報）も、振込処理端末３１０，４１０から銀行４００のホストコンピュータ４０５に出力される。その出力されるタイミングは、振込人や、振込先、振込金額などの情報と同時であってもよいが、ホストコンピュータ４０５による振込処理の実行が速やかに行われるように、ホストコンピュータ４０５による振込処理の実行後である方が好ましい。この場合、振込人や、振込先、振込金額などの情報を含めて出力するのが好ましい。
【００３７】
ホストコンピュータ４０５は、このようにして取得した運転手に関する情報や、振込先を特定するための情報、車両の運用履歴などの情報をデータベース４０６に記録するとともに、各振込先が望む用途に応じて様々なリスト（例えば、振込処理された金額を集計した振込金額リストや、前述の料金に関する情報の中に含まれる任意の情報を集計した料金リスト、第３の実施の形態で詳述する営業実績リストなど）５０を作成する。なお、ホストコンピュータ４０５の動作については、後述の（ホストコンピュータの動作）の項で詳述する。
【００３８】
図１の矢印▲５▼は、リスト５０が、インターネット６００を介してホストコンピュータ４０５からタクシー会社５００のＰＣサーバ５０５に出力されることを示している。
【００３９】
例えば、リスト５０は、所定の時期に（例えば、日や、週、月、年が変る毎に）、インターネット６００を介してホストコンピュータ４０５からタクシー会社５００のＰＣサーバ５０５に出力される。これを受けて、ＰＣサーバ５０５（またはＰＣサーバ５０５に接続された図示しないパーソナルコンピュータ）は、リスト５０をデータベース５０６に記録するとともに、所定の時期に（例えば、給与の算定基準となる期日が経過する毎に）、リスト５０を用いて各タクシー運転手の給与額を算出する。これにより、タクシー会社５００は、専任の経理担当者を配置して、現金を管理したり、各タクシー運転手の走行履歴をコンピュータに入力する必要がなくなる。
【００４０】
図１の矢印▲６▼は、管理サービス料（手数料や顧問料などを含む）が、タクシー会社５００から銀行４００に支払われることを示している。この支払いは、銀行４００に開設されたタクシー会社５００の口座からの引き落とし（すなわち、タクシー会社５００の口座から銀行４００の口座への資金移動）によって行われるようにしてもよい。
【００４１】
以上がシステムの動作の概要である。続いて、ＩＣカードリーダライタ１１２と振込処理端末３１０，４１０とホストコンピュータ４０５の動作について順に詳述する。
【００４２】
（ＩＣカードリーダライタの動作）
ＩＣカードリーダライタ１１２は、図４に示されるように動作する。なお、ＩＣカード１１４には、前述の通り、業務開始前に、例えばタクシー会社５００のＰＣサーバ５０５などによって、運転手に関する情報や、振込先を特定するための情報（タクシー会社の社名や銀行に開設されたタクシー会社の口座番号など）などが記録されている。
【００４３】
業務開始時において、タクシー運転手は、ＩＣカード１１４をＩＣカードリーダライタ１１２に取り付ける。ＩＣカードリーダライタ１１２には、ＩＣカード１１４を検出する図示しないセンサが設けられている。ＩＣカードリーダライタ１１２は、このセンサによってＩＣカード１１４を検知すると、ＩＣカード１１４と通信してＩＣカード１１４のセットを確認する（Ｓ１１）。
【００４４】
業務遂行時において、タクシー運転手は、車両を走行させて、乗客２００を捜す。タクシー運転手は、乗客２００を見つけると、乗客２００を乗車させ、料金メータ１１０の図示しないレバーを倒して料金メータ１１０のカウントを作動させる。このとき、料金メータ１１０は、乗車料金（初乗り額）を表示パネルに表示する。また、走行履歴（例えば、車両番号や、乗車時間、降車時間、乗車位置、降車位置、走行時間、走行距離などの情報）や、料金に関する情報（例えば、乗車料金）を計測しだすとともに、ＩＣカードリーダライタ１１２に乗車時間などの情報を出力する。これを受けて、ＩＣカードリーダライタ１１２は、乗車時間などの情報をＩＣカード１１４に記録する（Ｓ１３）。
【００４５】
タクシー１００が乗客２００の目的地に到着すると、タクシー運転手は、料金メータ１１０の図示しないレバーを正立させて料金メータ１１０のカウントを停止させる。このとき、料金メータ１１０は、乗車料金を表示パネルに表示するとともに、走行履歴や料金に関する情報をＩＣカードリーダライタ１１２に出力する。これを受けて、ＩＣカードリーダライタ１１２は、走行距離や乗車料金などの情報をＩＣカード１１４に記録する（Ｓ１５）。
【００４６】
乗客２００は、料金メータ１１０の表示パネルに表示された乗車料金を貨幣１０で支払う。支払いが終了すると、タクシー運転手は、ドアを開放して乗客を降ろし、料金メータ１１０の図示しないレバーを動かす。これにより、料金メータ１１０は、降車時間などの情報をＩＣカードリーダライタ１１２に出力する。これを受けて、ＩＣカードリーダライタ１１２は、降車時間などの情報をＩＣカード１１４に記録する（Ｓ１７）とともに、表示パネルに表示された乗車料金をゼロにリセットし、車両の空車／満車を示す表示を空車に変更する。
【００４７】
以後、ＩＣカードリーダライタ１１２は、乗客が乗車する毎にＳ１３〜Ｓ１７までの処理を繰り返す。
【００４８】
業務終了時において、タクシー運転手は、ＩＣカード１１４をＩＣカードリーダライタ１１２から取り外す。すると、ＩＣカードリーダライタ１１２は、前述の図示しないセンサによってＩＣカード１１４の取り外しを検知する（Ｓ１９）。以後、ＩＣカードリーダライタ１１２は、タクシー１００が営業外の活動に供されないように、ＩＣカード１１４が取り外されてから再度セットされるまでの時間を計測し、ＩＣカード１１４が再度セットされたときにＩＣカード１１４に記録する。仮に、長時間の記録がなされた場合には、その記録が銀行４００のホストコンピュータ４０５からタクシー会社５００のＰＣサーバ５０５に通知され、タクシー会社５００はタクシー運転手にその理由を問い合せすることになる。
【００４９】
（振込処理端末の動作）
振込処理端末３１０，４１０は、図５に示されるように動作する。
【００５０】
タクシー運転手は、ＩＣカードリーダライタ１１２から取り外したＩＣカード１１４を持って、この発明に係る車両運用システムを導入している最寄りの流通業の小売店３００や銀行４００の本支店、無人店舗などに向かう。そして、ＩＣカード１１４を流通業の小売店３００や銀行４００の本支店、無人店舗などに設置されている振込処理端末３１０，４１０の図示しないカード挿入／排出口に挿入する。カード挿入／排出口には、ＩＣカード１１４が挿入されたことを検出する図示しないセンサが設けられている。振込処理端末３１０，４１０は、このセンサによってＩＣカード１１４を検出すると、ＩＣカード１１４を装置内部に取り込み（Ｓ３１）、図示しないカード処理部に搬送する。なお、カード挿入／排出口は、通常時には、キャッシュカードを挿入／排出する口として利用されている。
【００５１】
振込処理端末３１０，４１０は、ＩＣカード１１４から、前述の通り、運転手に関する情報や、振込先を特定するための情報、車両の運用履歴（ただし、図３に示される「精算」欄が「未」となっているもの）などを読み取り、読み取った情報に基づいて振込人と振込先と振込金額とを決定する。そして、振込人や、振込先、振込金額などの情報を図示しないタッチパネルに表示する（Ｓ３３）。
【００５２】
タッチパネルに表示された情報が正しい場合に、タクシー運転手は、振込金額に相当する貨幣１０を振込処理端末３１０，４１０の図示しない貨幣投入口に投入する。振込処理端末３１０，４１０は、投入された金額を計数し（Ｓ３５）、振込金額に相当する貨幣１０が投入されている場合に、振込処理に供する情報（すなわち、振込人や、振込先、振込金額などの情報）を銀行４００のホストコンピュータ４０５に出力する（Ｓ３７）。なお、タクシー運転手が振込金額よりも多い貨幣１０を振込処理端末３１０，４１０に投入した場合、振込処理端末３１０，４１０は、振込金額だけを振込処理し、振込金額から超過した額に相当する貨幣１０をつり銭として返却する。また、タクシー運転手が振込金額よりも少ない貨幣１０を振込処理端末３１０，４１０に投入した場合、振込処理端末３１０，４１０は、振込処理を中断する。
【００５３】
この後、振込処理端末３１０，４１０は、図示しないレシート印字部により車両の運用履歴の中に含まれる任意の情報をレシートに印字する（Ｓ３９）とともに、ＩＣカード１１４に記録された「精算」欄が「未」となっている欄を「済」に変更する。そして、レシートとＩＣカード１１４とを重ねて排出することによりＩＣカード１１４を返却する（Ｓ４１）。
【００５４】
タクシー運転手がＩＣカード１１４とレシートを受け取ると、振込処理端末３１０，４１０での処理は終了する。
【００５５】
（ホストコンピュータの動作）
ホストコンピュータ４０５は、図６に示されるように動作する。
【００５６】
ホストコンピュータ４０５は、振込処理端末３１０，４１０から振込処理に供する情報（すなわち、振込人や、振込先、振込金額などの情報）が出力された場合に、これらの情報をデータベース４０６に記録し（Ｓ５１）、タクシー会社５００の口座への振込処理を実行する（Ｓ５３）。
【００５７】
また、ホストコンピュータ４０５は、振込先であるタクシー会社５００との契約により決められた期間毎に、各振込先が望む用途に応じて様々なリスト（例えば、振込処理された金額を集計した振込金額リストや、料金に関する情報の中に含まれる任意の情報を集計した料金リスト、第３の実施の形態で詳述する営業実績リストなど）５０を作成する（Ｓ５５）。リスト５０は、タクシー運転手毎に集計されている、または、タクシー運転手毎に編集することが可能な形式であるのが好ましい。この実施の形態では、ホストコンピュータ４０５は、例えば、一定期間における各タクシー運転手の走行履歴（乗車時間、降車時間、走行距離など）や乗車料金の総計を集計してリスト５０を作成するものとする。ホストコンピュータ４０５は、このようにして作成したリスト５０を、インターネット６００を介して電子メールにてタクシー会社５００のＰＣサーバ５０５に出力する（Ｓ５７）。
【００５８】
以上の通り、この実施の形態に係る車両運用システムによれば、タクシー会社５００は、銀行４００にタクシー運転手の走行履歴の記録や現金の管理を代行してもらえるため、専任の経理担当者を必要とせず、経費を削減することができる。また、銀行４００は、タクシー会社５００より管理サービスに対する報酬を得られる上、タクシー会社５００を顧客として囲い込むことができる。更に、乗車料金を含む預金を確保することができる。また、タクシー運転手は、売上を精算するためにタクシー会社５００に帰社する必要がなくなるので、業務効率を向上させることができる。
【００５９】
＜第２の実施の形態＞
第１の実施の形態では現金で乗車料金を支払う例について説明したが、この実施の形態ではプリペイドカードを利用して乗車料金を支払う例について説明する。なお、この実施の形態では、プリペイドカードに対するリード／ライト機能が料金メータ１１０に組み込まれているものとする。
【００６０】
以下、まず、「プリペイドカードの販売」について説明し、次に、「プリペイドカード利用による支払い」について説明する。
【００６１】
（プリペイドカードの販売）
まず、プリペイドカード利用の前提であるプリペイドカードの販売について図７を用いて説明する。なお、図７はプリペイドカードの販売例を示す図であり、乗客２００がプリペイドカード３０を購入する際の処理の流れを示している。
【００６２】
この実施の形態では、各タクシー運転手は、所定枚数のプリペイドカード３０を所持した状態でタクシー１００に乗車し、プリペイドカード３０が所定枚数売れる都度、タクシー会社５００から新しいプリペイドカード３０の配給を受けるものとする。
【００６３】
業務遂行時において、乗客２００が、タクシー運転手からプリペイドカード３０を購入し、その代金として貨幣１０をタクシー運転手に支払うと、タクシー運転手は、料金メータ１１０の図示しない入力部よりプリペイドカード３０の販売情報を入力する。これにより、料金メータ１１０は、プリペイドカード３０の販売情報をＩＣカードリーダライタ１１２に出力する。これを受けて、ＩＣカードリーダライタ１１２は、以下のように、ＩＣカード１１４に情報を記録する。すなわち、図３に示される「カード販売」欄にプリペイドカード３０の売上情報を記録する。また、図３に示される「現金支払総計」欄に前回の「現金支払総計」の額と今回の「カード販売」の額とを合わせた額を記録する。また、図３に示される「総計」欄に前回の「総計」の額と今回の「カード販売」の額とを合わせた額を記録する。
【００６４】
業務終了時において、タクシー運転手は、第１の実施の形態と同様に、最寄りの流通業の小売店３００または銀行４００で振込処理の取引を行う。このとき、振込処理端末３１０，４１０は、第１の実施の形態と同様に、振込人や、振込先、振込金額などの情報を、銀行４００のホストコンピュータ４０５に出力する。これを受けて、ホストコンピュータ４０５は、振込処理を実行する。なお、このとき、プリペイドカード３０の販売の総額も振込処理されることになる。なぜなら、振込処理端末３１０，４１０は、プリペイドカード３０の販売の総額と現金で支払われた乗車料金の総額とを合わせた額である「現金支払総計（ただし、図３に示される「精算」欄が「未」となっている最終行のもの）」の額を振込金額として決定するからである。なお、プリペイドカード利用による支払いについては後述する。
【００６５】
この後、振込処理端末３１０，４１０は、第１の実施の形態と同様に、振込人や、振込先、振込金額以外の情報（すなわち、これら以外の、運転手に関する情報や、振込先を特定するための情報、車両の運用履歴（図３に示される「カード販売」欄を含む）などの情報）を、銀行４００のホストコンピュータ４０５に出力する。
【００６６】
ホストコンピュータ４０５は、第１の実施の形態と同様に、このようにして取得した運転手に関する情報や、振込先を特定するための情報、車両の運用履歴（図３に示される「カード販売」欄を含む）などの情報をデータベース４０６に記録するとともに、各振込先が望む用途に応じて様々なリスト５０を作成する。そして、このとき、タクシー会社５００との契約により決められた期間毎に、リスト５０の一種としてプリペイドカード３０の販売額を集計したリストも作成し、所定の時期に、タクシー会社５００のＰＣサーバ５０５に出力する。これを受けて、ＰＣサーバ５０５（またはＰＣサーバ５０５に接続された図示しないパーソナルコンピュータ）は、リスト５０（プリペイドカード３０の販売額を集計したリストを含む）をデータベース５０６に記録する。
【００６７】
プリペイドカード３０の販売額を集計したリストはプリペイドカード３０の販売額を表しているので、これにより、タクシー会社５００は、プリペイドカード３０の販売額を管理することができる。なお、プリペイドカード３０の販売額を集計したリストは、タクシー運転手毎に、プリペイドカード３０の販上額が集計されていてもよい。この場合、各タクシー運転手のプリペイドカード３０の販売額と各タクシー運転手に配給したプリペイドカード３０の額とをチェックすることができるので、仮に、タクシー運転手が不正にプリペイドカード３０の配給を受けていても、これを見つけることができる。
【００６８】
（プリペイドカード利用による支払い）
次に、プリペイドカード利用による支払いについて、図８を用いて説明する。なお、図８はプリペイドカード利用による支払処理例を示す図であり、乗客２００がプリペイドカード３０を利用して乗車料金を支払う際の流れを示している。
【００６９】
業務遂行時において、乗客２００は、プリペイドカード３０を利用して乗車料金を支払う（以下、プリペイドカード３０による支払という）ために、タクシー運転手にプリペイドカード３０を渡す。タクシー運転手は、プリペイドカード３０を受け取り、料金メータ１１０にプリペイドカード３０の残高を読み取らせる。
【００７０】
プリペイドカード３０の残高が乗車料金よりも多い場合に、料金メータ１１０は、プリペイドカード３０の残高から乗車料金を減算した額を、新たなプリペイドカード３０の残高としてプリペイドカード３０に記録する。また、乗車料金と、プリペイドカード３０による支払の額とをＩＣカードリーダライタ１１２に出力する。ＩＣカードリーダライタ１１２は、以下のように、ＩＣカード１１４に情報を記録する。すなわち、図３に示される「乗車料金」欄に乗車料金の額を記録する。また、図３に示される「プリペイド支払小計」欄にプリペイドカード３０による支払の額を記録する。また、図３に示される「乗車料金総計」欄に前回の「乗車料金総計」の額と今回の「乗車料金」の額とを合わせた額を記録する。また、図３に示される「プリペイド支払総計」欄に前回の「プリペイド支払総計」の額と今回の「プリペイド支払小計」欄の額とを合わせた額を記録する。また、図３に示される「総計」の欄に前回の「総計」の額と今回の「乗車料金」の額とを合わせた額を記録する。これによって、支払処理が完了する。
【００７１】
なお、プリペイドカード３０による支払が、タクシー運転手の給与額に影響を及ぼすことはない。なぜなら、タクシー運転手の給与額は、図３に示される「乗車料金総計」欄に記録された額を基準にして算定されるからである。
【００７２】
また、プリペイドカード３０の残高が乗車料金よりも少ない場合に、料金メータ１１０は、乗車料金と残高との差額を表示パネルに表示する。乗客２００が差額に相当する貨幣１０をタクシー運転手に支払うと、タクシー運転手は、料金メータ１１０の図示しない入力部を操作する。これにより、料金メータ１１０は、差額に相当する貨幣１０が支払われたものと認識して、プリペイドカード３０の残高をゼロとしてプリペイドカード３０に記録する。また、乗車料金と、プリペイドカード３０による支払情報と、差額（すなわち、貨幣１０による支払の額）とをＩＣカードリーダライタ１１２に出力する。これを受けて、ＩＣカードリーダライタ１１２は、以下のように、ＩＣカード１１４に情報を記録する。すなわち、図３に示される「乗車料金」欄に乗車料金の額を記録する。また、図３に示される「プリペイド支払小計」欄にプリペイドカード３０による支払の額を記録する。また、図３に示される「現金支払小計」欄に貨幣１０による支払の額を記録する。また、図３に示される「乗車料金総計」欄に前回の「乗車料金総計」の額と今回の「乗車料金」の額とを合わせた額を記録する。また、図３に示される「プリペイド支払総計」欄に前回の「プリペイド支払総計」の額と今回の「プリペイド支払小計」欄の額とを合わせた額を記録する。また、図３に示される「現金支払総計」欄に前回の「現金支払総計」の額と今回の「現金支払小計」欄の額とを合わせた額を記録する。また、図３に示される「総計」の欄に前回の「総計」の額と今回の「乗車料金」の額とを合わせた額を記録する。これによって、支払処理が完了する。
【００７３】
なお、プリペイドカード３０の残高が乗車料金よりも少ない場合に、別のプリペイドカード３０を利用して差額を支払うことも可能である。この場合は、タクシー運転手は、乗客２００から別のプリペイドカード３０を受け取り、料金メータ１１０に別のプリペイドカード３０の残高を再度読み取らせることになる。
【００７４】
支払処理が完了すると、タクシー運転手は、ドアを開放して乗客を降ろす。そして、料金メータ１１０の図示しないレバーを動かす。これにより、料金メータ１１０「満車」の表示が、「空車」の表示に変わる。この後、タクシー運転手は、車両を走行させて、次の乗客２００を捜す。
【００７５】
業務終了時において、タクシー運転手は、第１の実施の形態と同様に、最寄りの流通業の小売店３００または銀行４００で振込処理の取引を行う。このとき、振込処理端末３１０，４１０は、第１の実施の形態と同様に、振込人や、振込先、振込金額などの情報を、銀行４００のホストコンピュータ４０５に出力する。これを受けて、ホストコンピュータ４０５は、振込処理を実行する。なお、このとき、振込処理端末３１０，４１０は、図３に示される「現金支払総計（ただし、図３に示される「精算」欄が「未」となっている最終行のもの）」の額を振込金額として決定する。この振込金額は、プリペイドカード３０による支払を含まない。なぜなら、プリペイドカード３０が有する金銭的価値は、プリペイドカード３０が販売された時点でタクシー会社５００の口座に振り込まれた振込金額の中に含まれているからである。
【００７６】
この後、振込処理端末３１０，４１０は、第１の実施の形態と同様に、振込人や、振込先、振込金額以外の情報（すなわち、これら以外の、運転手に関する情報や、振込先を特定するための情報、車両の運用履歴（図３に示される「プリペイド支払総計」欄を含む）などの情報）も、銀行４００のホストコンピュータ４０５に出力する。
【００７７】
ホストコンピュータ４０５は、第１の実施の形態と同様に、このようにして取得した運転手に関する情報や、振込先を特定するための情報、車両の運用履歴（図３に示される「プリペイド支払総計」欄を含む）などの情報をデータベース４０６に記録するとともに、各振込先が望む用途に応じて様々なリスト５０を作成する。そして、このとき、タクシー会社５００との契約により決められた期間毎に、リスト５０の一種としてプリペイドカード３０による支払を集計したリストも作成し、所定の時期に、タクシー会社５００のＰＣサーバ５０５に出力する。これを受けて、ＰＣサーバ５０５（またはＰＣサーバ５０５に接続された図示しないパーソナルコンピュータ）は、リスト５０（プリペイドカード３０による支払を集計したリストを含む）をデータベース５０６に記録する。
【００７８】
プリペイドカード３０による支払を集計したリストはプリペイドカード３０による支払の額を表している。また、これに基づいて、市場に流通しているプリペイドカード３０の未使用額を算出することができる。そのため、タクシー会社５００は、プリペイドカード３０による支払の額や、市場に流通しているプリペイドカード３０の未使用額を管理することができる。
【００７９】
以上の通り、この実施の形態に係る車両運用システムによれば、タクシー会社５００は、乗客２００からタクシー運転手への料金支払いを簡便にするとともに、タクシー運転手から乗客２００への釣り銭返却を簡便にすることができる。また、乗客２００がプリペイドカード３０の未使用額を使用するために再度乗車する可能性が高くなるので、固定客を獲得することができる。また、プリペイドカード３０の販売やプリペイドカード３０による支払に関する情報などを銀行４００に管理してもらえるため、専任の経理担当者を必要とせず、経費を削減することができる。
【００８０】
＜第３の実施の形態＞
この実施の形態では、車両の位置情報をＧＰＳ衛星から取得し、それを利用する例を説明する。
【００８１】
（位置情報の取得）
まず、位置情報の取得について図９を用いて説明する。なお、図９は、位置情報の取得例を示す図である。
【００８２】
この実施の形態では、タクシー１００が搭載している料金メータ１１０は、ＧＰＳ端末７１０と接続されている。ＧＰＳ端末７１０は、ＧＰＳ衛星７００から自己の位置情報を取得することができ、取得した位置情報を料金メータ１１０に出力する。
【００８３】
料金メータ１１０は、乗客２００が乗車した時の位置情報（すなわち、タクシー運転手によって図示しないレバーが倒立された時に、ＧＰＳ端末７１０から取得した位置情報）と、降車した時の位置情報（すなわち、タクシー運転手によって図示しないレバーがタクシー運転手によって正立された時に、ＧＰＳ端末７１０から取得した位置情報）とをＩＣカードリーダライタ１１２に出力する。これを受けて、ＩＣカードリーダライタ１１２は、以下のように、ＩＣカード１１４に情報を記録する。すなわち、図３に示される「乗車位置」欄に乗客２００が乗車した時の位置情報を記録する。また、図３に示される「降車位置」欄に降車した時の位置情報を記録する。
【００８４】
（位置情報の利用）
次に、位置情報の利用について説明する。例えば、位置情報を利用して、乗車率の高いエリアの場所や、時間、売上実績の高い走行ルート、配車効率を上げるポイントなどを算出するものとする。図１０は、このような売上実績の算出結果である営業実績リストの例を示す図である。
【００８５】
図１０に示された例では、営業実績に関するリスト（以下、営業実績リストという）６０には、例えば、地域毎に、また時間帯毎に、どの程度の営業実績があったかを示す情報が示されている。また、営業実績リスト６０には、地域毎の地図が示され、更に地図の中には営業実績の高い走行ルートが点線などによって識別可能な状態で示されている。
【００８６】
このような営業実績リスト６０は、以下のようにして作成される。
【００８７】
すなわち、業務終了時において、タクシー運転手は、最寄りの流通業の小売店３００または銀行４００で振込処理の取引を行う。このとき、振込処理端末３１０，４１０は、第１，第２の実施の形態と同様に、振込人や、振込先、振込金額などの情報を、銀行４００のホストコンピュータ４０５に出力する。これを受けて、ホストコンピュータ４０５は、振込処理を実行する。
【００８８】
この後、振込処理端末３１０，４１０は、第１，第２の実施の形態と同様に、振込人や、振込先、振込金額以外の情報（すなわち、これら以外の、運転手に関する情報や、振込先を特定するための情報、車両の運用履歴（図３に示される「乗車位置」欄、すなわち、ＧＰＳ衛星７００から取得した乗客２００が乗車した時の位置情報と、「降車位置」欄、すなわち、ＧＰＳ衛星７００から取得した乗客２００が降車した時の位置情報とを含む）などの情報）も、銀行４００のホストコンピュータ４０５に出力する。
【００８９】
ホストコンピュータ４０５は、第１，第２の実施の形態と同様に、このようにして取得した情報をデータベース４０６に記録するとともに、各振込先が望む用途に応じて様々なリスト５０を作成する。そして、このとき、タクシー会社５００との契約により決められた期間毎に、リスト５０の一種として営業実績リスト６０も作成し、所定の時期に、タクシー会社５００のＰＣサーバ５０５に出力する。これを受けて、ＰＣサーバ５０５（またはＰＣサーバ５０５に接続された図示しないパーソナルコンピュータ）は、リスト５０（営業実績リスト６０を含む）をデータベース５０６に記録する。
【００９０】
営業実績リスト６０は、前述の通り、乗車率の高い地域や、時間、売上実績の高い走行ルート、配車効率を上げるポイントなどが含まれている。そのため、タクシー会社５００は、営業実績リスト６０に基づいて車両を走行させることにより、効率よく乗客２００を見つけることができる。その結果、タクシー会社５００は、配車効率、業務効率、収益率を向上させることができる。
【００９１】
以上の通り、この実施の形態に係る車両運用システムによれば、タクシー会社５００は、銀行４００から乗車率の高い地域や、時間、走行ルートなどのコンサルタントを受けることができるので、配車効率、業務効率、収益率などを向上させることができる。また、銀行４００は、タクシー会社５００から様々な情報を取得することができるとともに、コンサルタント料を得ることができる。
【００９２】
＜変形例など＞
この発明は上記の実施の形態に限定されることなく、この発明の要旨を逸脱しない範囲で種々の応用及び変形が考えられる。
【００９３】
例えば、ＩＣカード１１４として説明した記録媒体は、携帯可能な様々な電子機器（例えば、携帯電話機や電子手帳、ゲーム機など）の形態にすることができる。
【００９４】
また、振込による売上の精算は、業務終了時に限らず、適宜可能である。例えば、ある額を超える売上金額が貯まったら、行うようにしてもよい。または、例えば、午前０時や午後０時のように、一定の時刻になったら、未精算分の売上の精算を行うようにしてもよい。
【００９５】
また、第１の実施の形態では、振込先を特定するための情報は、タクシー会社５００のＰＣサーバ５０５などによって記録されるものとして説明したが、ＩＣカードリーダライタ１１２によって記録されるようにしてもよい。
【００９６】
また、第２の実施の形態では、プリペイドカードによる決済処理の例を説明したが、クレジットカードやデビットカードによる決済処理も可能である。
【００９７】
また、第３の実施の形態では、乗車情報および降車情報を管理する例について説明したが、運用経路についても管理することが可能である。
【００９８】
【発明の効果】
以上説明したこの発明には、タクシー運転手が帰社して一日の売上を計測して精算する必要がなくなるので、業務効率を改善できるという効果がある。
【図面の簡単な説明】
【図１】車両運用システムの構成を示す図である。
【図２】振込先を特定するための情報の一例を示す図である。
【図３】車両の運用履歴の一例を示す図である。
【図４】ＩＣカードリーダライタの動作を示すフローチャートである。
【図５】振込処理端末の動作を示すフローチャートである。
【図６】ホストコンピュータの動作を示すフローチャートである。
【図７】プリペイドカードの販売例を示す図である。
【図８】プリペイドカード利用による支払処理例を示す図である。
【図９】位置情報の取得例を示す図である。
【図１０】営業実績リストの例を示す図である。
【符号の説明】
１０  貨幣
５０  リスト
１００  タクシー
１１０  料金メータ
１１２  ＩＣカードリーダライタ
１１４  ＩＣカード
２００  乗客
３００  小売店
３１０  流通業支援端末（振込処理端末）
４００  銀行
４０５  ホストコンピュータ
４１０  ＡＴＭ（振込処理端末）
５００  タクシー会社
５０５  ＰＣサーバ
６００  インターネット
【図１】
2004240479.tif 000003
【図２】
2004240479.tif 000004
【図３】
2004240479.tif 000005
【図４】
2004240479.tif 000006
【図５】
2004240479.tif 000007
【図６】
2004240479.tif 000008
【図７】
2004240479.tif 000009
【図８】
2004240479.tif 000010
【図９】
2004240479.tif 000011
【図１０】
2004240479.tif 000012